(57)【要約】【課題】内部の電子部品への水の接触を阻止することができる防滴構造に優れた天井取付型センサを提供する。【解決手段】天井取付型センサは、電子部品が取り付けられた基板２と、天井に設置される基板が装着されたベース部３と、基板に固定される監視センサ６１と、監視センサ６１の一部が露出する内側開口部４１を有し基板を覆った状態でベース部３に取り付けられるインナーカバー４と、インナーカバー４の内側開口部４１が露出する外側開口部５３を有しインナーカバー４及びベース部３を覆うアウターカバー５とを備える。ベース部３は、基板２に取り付けられた電子部品及びインナーカバー４の周囲に設けられる防水壁部３３と、防水壁部３３の外側に形成される複数の貫通孔３４，３５とを有する。アウターカバー５の内部に浸入する水滴は、防水壁部３３によりインナーカバー４及び電子部品に接触するのが阻止される。【選択図】図１
2014085366.tif 000002
【特許請求の範囲】
【請求項１】
電子部品が取り付けられた基板と、
天井に設置される基板が装着されたベース部と、
基板に接続される監視センサと、
監視センサの一部が露出する内側開口部を有し、基板及び監視センサを覆った状態でベース部に取り付けられるインナーカバーと、
インナーカバーの内側開口部が露出する外側開口部を有し、インナーカバー及びベース部を覆うアウターカバーとを備え、
前記ベース部は、基板に取り付けられた電子部品及びインナーカバーの周囲に設けられる防水壁部と、防水壁部の外側に形成される複数の貫通孔とを有することを特徴とする天井取付型センサ。
【請求項２】
請求項１に記載の天井取付型センサにおいて、
基板には、外部からのケーブルが接続されるコネクタが取り付けられ、
インナーカバーは、コネクタの接続ポートが露出するコネクタ開口部を有し、
ベース部は、防水壁部の外側であって、コネクタの近傍に前記貫通孔となるケーブルが挿通されるケーブル挿通孔を有し、
コネクタの接合口は、斜め下方に防水壁部に向けて開口され、
ベース部のケーブル挿通孔に挿通されたケーブルは、アウターカバーの底部内面に接触可能に下方に向けて湾曲させてコネクタに接続させている天井取付型センサ。
【請求項３】
請求項１又は請求項２に記載の天井取付型センサにおいて、
インナーカバーは、下面にのみ複数の放熱用通気孔が形成されている天井取付型センサ。
【請求項４】
請求項１から請求項３の何れか１項に記載の天井取付型センサにおいて、
インナーカバーは、内側開口部の周囲に下方に向けて突出する環状突起が形成され、環状突起がアウターカバーの外側開口部に挿入されている天井取付型センサ。
【請求項５】
請求項１から請求項４の何れか１項に記載の天井取付型センサにおいて、
ベース部の防水壁部と、防水壁部に対向するアウターカバーの側壁部との間に水浸入通路が形成されている天井取付型センサ。
【請求項６】
請求項１から請求項５の何れか１項に記載の天井取付型センサにおいて、
アウターカバーの底部内面は、外側開口部に向けて下方に傾斜する傾斜面を備え、
アウターカバーの外側開口部とインナーカバーの内側開口部との間に、水を排出する水排出通路を形成している天井取付型センサ。
【発明の詳細な説明】
【技術分野】
【０００１】
本発明は、天井に設置される監視センサを備えた天井取付型センサに関する。
【背景技術】
【０００２】
防犯や人の混雑状況の把握などを目的として建物内に設置されている監視センサとして例えば監視カメラがある。
監視カメラは、周囲を広く見渡せる場所に設置されることが望まれるため、天井に設置される場合が多い。天井に設定される監視カメラは、カメラの存在を意識させないようにするために、また、設置付近の景観を損なわせないようにするために、光を透過する半球体状のドームでカメラ部を覆うようにしたドーム型カメラが主流となっている（例えば特許文献１参照）。
【先行技術文献】
【特許文献】
【０００３】
【特許文献１】特開２００９−１３０６６８号公報
【発明の概要】
【発明が解決しようとする課題】
【０００４】
特許文献１に開示されているような天井取付型の監視カメラは、外部からドーム内への水の浸入を防ぐために、ドームの部分とカメラが固定されるベース部分との間をパッキンによりシールしている。しかしながら、ベース部分の天井との対向部には、内部に配置される基板に接続するための配線を挿通させる孔が開口されており、この孔から水が浸入してしまうと、電子部品に水滴が落下してしまい、電子部品が損傷してしまう問題がある。特に、水滴が落ちてくる場所に監視カメラが設置される場合には、天井に水滴が付着しやすいので、ドーム内に水が浸入する可能性が高くなる。そこで、完全防水構造を実現しようとすると密閉のため機器の厚みが増え、重量が重くなることとなる。また、密閉構造のため放熱性の問題も発生する。さらに、天井に設置する条件下では薄型（軽量）であることが望まれ、屋内の設置であれば防水ではなく防滴構造で十分である。
【０００５】
本発明は、上記事情に鑑みてなされ、内部の電子部品等への水の接触を阻止することができる防滴構造に優れた天井取付型センサを提供することを目的とする。
【課題を解決するための手段】
【０００６】
本発明の天井取付型センサは、
電子部品が取り付けられた基板と、
天井に設置される基板が装着されたベース部と、
基板に接続される監視センサと、
監視センサの一部が露出する内側開口部を有し、基板及び監視センサを覆った状態でベース部に取り付けられるインナーカバーと、
インナーカバーの内側開口部が露出する外側開口部を有し、インナーカバー及びベース部を覆うアウターカバーとを備え、
前記ベース部は、基板に取り付けられた電子部品及びインナーカバーの周囲に設けられる防水壁部と、防水壁部の外側に形成される複数の貫通孔とを有することを特徴とする。
【０００７】
このような構成によれば、ベース部の天井との対向面に付着した水滴は、ベース部に設けた貫通孔またはベース部の外周縁からアウターカバー内に浸入しても、防水壁部の外側で落下する。そして、基板に取り付けられた電子部品、監視センサ及びインナーカバーの周囲には防水壁部が設けられているので、この防水壁部により電子部品、監視センサ及びインナーカバーを取り付けるためのネジなどへの水の接触が阻止される。
なお、監視センサとしては、動画が撮影可能なカメラや赤外線カメラなどにより構成することができる。
【０００８】
さらに、本発明の天井取付型センサは、
基板には、外部からのケーブルが接続されるコネクタが取り付けられ、
インナーカバーは、コネクタの接続ポートが露出するコネクタ開口部を有し、
ベース部は、防水壁部の外側であって、コネクタの近傍に前記貫通孔となるケーブルが挿通されるケーブル挿通孔を有し、
コネクタの接合口は、斜め下方に防水壁部に向けて開口され、
ベース部のケーブル挿通孔に挿通されたケーブルは、アウターカバーの底部内面に接触可能に下方に向けて湾曲させてコネクタに接続させる構成とすることが好ましい。
【０００９】
このような構成によれば、コネクタに接続されるケーブルに水滴が付着しても、ケーブルは、アウターカバー内において、下方に向けて湾曲した後、コネクタに接続されるので、ケーブルに付着した水滴は、コネクタに向かって上昇することなくアウターカバーの底部内面に落下するので、コネクタの接続ポートがインナーカバーから露出していても、水による損傷を阻止できる。
【００１０】
また、インナーカバーは、下面にのみ複数の放熱用通気孔が形成されるように構成することが好ましい。
このように、インナーカバーに放熱用通気孔が形成されることで、放熱用通気孔から水が上昇して内部に浸入することはないので、放熱用通気孔が形成されていてもインナーカバー内への水の浸入を阻止できる。
【００１１】
また、インナーカバーは、内側開口部の周囲に下方に向けて突出する環状突起が形成され、環状突起がアウターカバーの外側開口部に挿入されるように構成することが好ましい。
このように、内側開口部の周囲に形成された環状突起により、内側開口部から水滴が内部に浸入することを阻止することができる。
【００１２】
さらに、ベース部の防水壁部と、防水壁部に対向するアウターカバーの側壁部との間に水浸入通路が形成されるように構成することが好ましい。
このように水浸入通路を形成することで、ベース部の上面部に付着した水滴は水浸入通路を構成するアウターカバーの側壁部または防水壁部の外面を伝わって基板に接触させることなくアウターカバーの底部内面に落下させることができる。
【００１３】
また、アウターカバーの底部内面は、外側開口部に向けて下方に傾斜する傾斜面を備え、アウターカバーの外側開口部とインナーカバーの内側開口部との間に、水を排出する水排出通路を形成するように構成することが好ましい。
このように、アウターカバーの底部内面に落下した水滴は、傾斜面に沿って外側開口部に向かって流れて、水排出通路から外部に排出される。
【発明の効果】
【００１４】
本発明の天井取付型センサによれば、ベース部の上面部の天井側に水滴が付着しても、付着した水滴は、ベース部に設けた貫通孔及びベース部の外周縁から防水壁部の外側に落下し、防水壁部により電子部品及びインナーカバー等への水滴の接触は阻止される。その結果、湿度の高い場所に監視センサを設置しても、基板に取り付けた監視センサや各電子部品、及び、インナーカバーをベースに取り付けるためのネジなどが水滴に接触して損傷することを阻止することができる。
【図面の簡単な説明】
【００１５】
【図１】本発明の実施形態に係る天井取付型カメラの天井に取付けた際に底部となる底面図である。
【図２】本発明の実施形態に係る天井取付型カメラの平面図である。
【図３】本発明の実施形態に係る天井取付型カメラの分解斜視図である。
【図４】本発明の実施形態に係る天井取付型カメラのインナーカバーの底面図である。
【図５】図１に示す天井取付型カメラのＡ−Ａ断面図である。
【図６】図１に示す天井取付型カメラのＢ−Ｂ断面図である。
【発明を実施するための形態】
【００１６】
以下に、本発明の天井取付型センサとしての天井取付型カメラに係る実施形態について添付図面を参照しながら説明する。
図１から図６に示す天井取付型カメラ１は、半導体、コンデンサなどの電子部品が取り付けられた基板２と(図５及び図６に示す)、基板２が装着された状態で天井に取り付けられる長方形状のベース部３と、基板２を覆うインナーカバー４と、ベース部３及びインナーカバー４を覆うアウターカバー５とを備える。
【００１７】
基板２には、監視センサである監視カメラ６１が、フラットケーブルを介して基板２に接続されている。また、基板２には、外部からのケーブル６２が接続される端子台６３、ＵＳＢメモリが接続されるＵＳＢコネクタ６４、各種スイッチ６５が取り付けられている。監視カメラ６１は、図５及び図６に示すように、長方形の基板２の中央部に対向するようにインナーカバー４の底部内面に固定されている。また、端子台６３は基板２の長手方向一端部に固定され、ＵＳＢコネクタ６４は基板２の長手方向他端部に固定され、スイッチ６５は、ＵＳＢコネクタ６４に隣接して基板２に固定されている。
【００１８】
端子台６３には、ケーブル６２の複数の配線を分岐させて接続する複数の接続ポート６３ａが設けられており、これら接続ポート６３ａは、図５に示すように、ベース部３を天井に取り付けた状態において斜め下方外側に向けて開口されている。ＵＳＢコネクタ６４には、ＵＳＢメモリが接続されるＵＳＢ接続ポート６４ａが水平方向に開口するように形成されている。
【００１９】
ベース部３は、長方形の板状に形成された上面部３１と、上面部３１の外周囲に、上面部３１が天井に固定された状態において下方に向けて突設される縁部３２とを備える。上面部３１の下面側に基板２がインナーカバー４と共にネジ６６締めにより取り付けられる。ベース部３は、基板２の面積よりも大きい面積を有している。
【００２０】
インナーカバー４は、基板２全体を覆った状態でベース部３にネジ６６締めして取り付けられる。インナーカバー４には、監視カメラ６１の一部であるレンズ部分が露出する内側開口部４１と、端子台６３の接続ポート６３ａを露出させる端子台開口部４２と、ＵＳＢコネクタ６４のＵＳＢ接続ポート６４ａが突出されるＵＳＢ開口部４３と、各種スイッチ６５を露出させるスイッチ開口部４４とを有する。
【００２１】
さらに、インナーカバー４は、図３及び図４に示すように、ベース部３が天井に固定された状態において下面となる部分にのみ複数の放熱用通気孔４５が形成されている。放熱用通気孔４５がインナーカバー４の下面にのみ形成されることで、放熱用通気孔４５から水が上昇してインナーカバー４の内部に浸入することを阻止する。
【００２２】
また、インナーカバー４は、内側開口部４１の周囲に下方に向けて突出する環状突起４６を形成しており、環状突起４６がアウターカバー５の外側開口部５３に挿入されるようになっている。内側開口部４１の周囲に環状突起４６を形成することによって、内側開口部４１から水滴がインナーカバー４の内部に浸入することを阻止する。
【００２３】
アウターカバー５は、平面視において長方形状に形成され、底部内面５１が長手方向に湾曲し、この湾曲した底部内面５１の周縁に側壁部５２が形成されている。アウターカバー５は、インナーカバー４及びベース部３の全てを覆うように形成され、図２に示すように、ベース部３の外周縁の縁部３２に沿って側壁部５２をベース部３に嵌め合わすように構成されている。さらに、アウターカバー５には、インナーカバー４の内側開口部４１の周囲に形成した環状突起４６が挿入される外側開口部５３を有している。この外側開口部５３から監視カメラ６１のレンズが露出された状態になる。さらに、アウターカバー５の短辺の側壁部５２の内面側には、ベース部３に形成するフック３６が掛けられる軸状のフック係止部５４が形成されている。
【００２４】
アウターカバー５の湾曲した底部内面５１は、外側開口部５３に向けて下方に傾斜するように長手方向にのみ傾斜するように形成される。そして、アウターカバー５の外側開口部５３とインナーカバー４の内側開口部４１に形成された環状突起４６との間に、水を排出する水排出通路７１が形成される（図１に示すクロスハッチングの部分）。ベース部３とアウターカバー５との隙間や、ベース部３に形成した天井固定用ビス孔３４及びケーブル挿通孔３５から水滴が浸入してアウターカバー５の底部内面に落下すると、水滴は傾斜面に沿って外側開口部５３に向かって流れて、水排出通路７１から外部に排出される。
【００２５】
さらにベース部３には、図３及び図４に示すように、基板２に取り付けられたスイッチ６５などの電子部品、端子台６３の接続ポート６３ａ、ＵＳＢコネクタ６４のＵＳＢ接続ポート６４ａ及びインナーカバー４の周囲を囲むように防水壁部３３が下方に向けて突設されている。防水壁部３３は、ベース部３における縁部３２の長辺部分に延設される部分と、縁部３２の短辺部分よりも内側に上面部３１の下面側から下方に向けて突設され、長辺縁部３２に延設された防水壁部３３に連続する部分とにより構成されている（図３及び図４に示すクロスハッチングの部分）。防水壁部３３により、インナーカバー４から露出する端子台６３の接続ポート６３ａ、スイッチ６５、ＵＳＢ接続ポート６４ａ、そして、インナーカバー４をベース部３に固定するためのネジ６６などに向かって水滴が流れていくのが阻止される。
【００２６】
さらに、ベース部３は、図４に示すように、ＵＳＢコネクタ６４の近傍の防水壁部３３の外側に２つの天井固定用ビス孔３４（本発明の貫通孔）が形成されると共に、端子台６３の近傍の防水壁部３３の外側にケーブル６２が挿通される２つのケーブル挿通孔３５（本発明の貫通孔）が形成され、これらケーブル挿通孔３５の間に天井固定用ビス孔３４（本発明の貫通孔）が形成されている。ベース部３のケーブル挿通孔３５に挿通されたケーブル６２は、図５に示すように、アウターカバー５の底部内面５１に接触させた状態で下方に向けて湾曲させて端子台６３の接続ポート６３ａに接続させるようになっている。
【００２７】
さらに、ベース部３には、アウターカバー５に形成されるフック係止部５４に掛けられる１対のフック３６がケーブル挿通孔３５の近くに外側に向かって湾曲するように形成されている。さらに、アウターカバー５における長辺の側壁部５２内面の中央部と、ベース部３における長辺の縁部３２外面の中央部とには、アウターカバー５の側壁部５２の弾性変形により係止するストッパー部５５，３８が形成されている。ベース部３のフック３６にアウターカバー５のフック係止部５４を掛けながら、ベース部３の縁部３２にアウターカバー５の側壁部５２が沿うようにアウターカバー５をベース部３に向けて押込むと、ストッパー部５５，３８同士が係合してアウターカバー５がベース部３に支持された状態となる。
【００２８】
さらに、ベース部３における長辺縁部３２及びこの長辺縁部３２に連続して形成される防水壁部３３には内方に凹んだ凹部３７が形成されており、この凹部３７に対向するアウターカバー５の側壁部５２との間に、水浸入通路７２が形成される。水浸入通路７２が形成されているので、ベース部３の上面部３１に付着した水滴は水浸入通路７２を構成するアウターカバー５の側壁部５２またはベース部３の防水壁部３３及び長辺縁部３２の外面を伝わって基板２及びインナーカバー４に接触することなくアウターカバー５の底部内面５１に落下する。
【００２９】
本実施形態の天井取付型カメラ１によれば、ベース部３に防水壁部３３及び貫通孔となる天井固定用ビス孔３４及びケーブル挿通孔３５を設けているので、ベース部３の天井との対向面である上面部３１に付着した水滴は、ベース部３に設けた天井固定用ビス孔３４、ケーブル挿通孔３５または水浸入通路７２からアウターカバー５内に浸入しても、防水壁部３３の外側でアウターカバー５の底部内面５１に落下する。そして、端子台６３、ＵＳＢコネクタ６４、各種スイッチ６５及びインナーカバー４の周囲には防水壁部３３が設けられているので、この防水壁部３３により端子台６３、ＵＳＢコネクタ６４、各種スイッチ６５及びインナーカバー４を取り付けるためのネジ６６などへの水の接触が阻止される。
【００３０】
さらに、端子台６３に接続されるケーブル６２に水滴が付着しても、ケーブル６２は、アウターカバー５内において、下方に向けて湾曲した後、端子台６３に接続されるので、ケーブル６２に付着した水滴は、端子台６３に向かって上昇することなくアウターカバー５の底部内面５１に落下し、端子台６３の接続ポート６３ａがインナーカバー４から露出していても、水による損傷を阻止できる。
【００３１】
なお、上記実施形態による天井取付型カメラ１は、監視センサとして監視カメラを例にとって説明したが、赤外線カメラや温度検知センサを備えるカメラにも適用できる。本実施形態では、監視センサとして、動画が撮影可能な監視カメラにより構成しているので、上述した防滴構造により、カメラのレンズへの水滴の付着を確実に阻止することができる。
【００３２】
また、上記実施形態にかかる天井取付型カメラ１は、アウターカバー５及びベース部３が平面視において長方形状になるように形成されたが、円形に形成することもできる。この場合の円形のベース部に装着されるインナーカバーは多角形、例えば四角形に形成し、ベース部に形成される防水壁部３３は、インナーカバーの側面に沿う形状に形成したり、一部をアウターカバーの側壁部に所定の隙間を介して沿う円弧状に形成したりすることができる。
【符号の説明】
【００３３】
１  天井取付型カメラ
２  基板
３  ベース部
４  インナーカバー
５  アウターカバー
３１  上面部
３２  縁部
３３  防水壁部
３４  天井固定用ビス孔
３５  ケーブル挿通孔
４１  内側開口部
４２  端子台開口部
４５  放熱用通気孔
４６  環状突起
５１  底部内面
５２  側壁部
５３  外側開口部
６１  監視カメラ
６２  ケーブル
６３  端子台
６３ａ  接続ポート
６６  ネジ
７１  水排出通路
７２  水浸入通路
【図１】
2014085366.tif 000003
【図２】
2014085366.tif 000004
【図３】
2014085366.tif 000005
【図４】
2014085366.tif 000006
【図５】
2014085366.tif 000007
【図６】
2014085366.tif 000008